(57)【要約】【課題】滑止テープの有効利用を図ることが可能なパレットを提供する。【解決手段】本発明のパレット２０では、荷物３０が載置されるデッキボード２１のうち把持部２５を一部に含む線状の領域に滑止テープ１０を固着したので、滑止テープ１０が、デッキボード２１に載置された荷物３０の滑り止めと、把持部２５を把持した手の滑り止めとの両方に兼用され、滑止テープ１０の有効利用が図られる。また、滑止テープ１０を従来より幅狭の幅７〜１４［ｍｍ］にしたので、滑止テープ１０を熱溶着にてデッキボード２１に固着する際の加熱時間が短くなり、デッキボード２１、特に把持部２５の熱変形を防ぐことができる。【選択図】図１
2008056303.tif 000002
【特許請求の範囲】
【請求項１】
合成樹脂製のパレットであって、荷物が載置されるデッキボードに１対の持ち手孔を貫通形成し、それら１対の持ち手孔の間を片手で把持可能な把持部としたパレットにおいて、
前記デッキボードのうち前記１対の持ち手孔の間を通りかつ前記把持部を一部に含む線状の領域に、荷物を滑り止めするための滑止テープを固着したことを特徴とするパレット。
【請求項２】
前記滑止テープが固着された前記線状の領域に前記把持部を複数設けたことを特徴とする請求項１に記載のパレット。
【請求項３】
前記滑止テープの幅を７〜１４［ｍｍ］にしたことを特徴とする請求項１又は２に記載のパレット。
【発明の詳細な説明】
【技術分野】
【０００１】
本発明は、合成樹脂のパレットであって、荷物が載置されるデッキボードに手を差し込むための持ち手孔を貫通形成したパレットに関する。
【背景技術】
【０００２】
従来、この種のパレットとして、デッキボードに１対の持ち手孔を貫通形成し、それら１対の持ち手孔の間を片手で把持可能な把持部としたパレットが知られている（例えば、特許文献１参照）。また、合成樹脂製のパレットには、必要に応じて滑止テープを固着する場合があり（例えば、特許文献２参照）、上記した持ち手孔及び把持部を備えたパレットにおいても、滑止テープを必要とされる場合があった。
【特許文献１】特開２００１−７２０６７号公報（第１図，第４図）
【特許文献２】特公昭６３−３８２９３号公報（第４頁右欄の第２５行から次頁左欄の第４行まで、第１図、第２図）
【発明の開示】
【発明が解決しようとする課題】
【０００３】
しかしながら、上記した滑止テープの有無によりパレット全体のコストが変動するため、従来のパレットに単に滑止テープを固着させるだけではなく、滑止テープの有効利用を図ったパレットの開発が求められていた。なお、従来の滑止テープは、画一的に幅が２０［ｍｍ］になっていた。
【０００４】
本発明は、上記事情に鑑みてなされたもので、滑止テープの有効利用を図ることが可能なパレットの提供を目的とする。
【課題を解決するための手段】
【０００５】
上記目的を達成するため、請求項１の発明に係るパレットは、合成樹脂製のパレットであって、荷物が載置されるデッキボードに１対の持ち手孔を貫通形成し、それら１対の持ち手孔の間を片手で把持可能な把持部としたパレットにおいて、デッキボードのうち１対の持ち手孔の間を通りかつ把持部を一部に含む線状の領域に、荷物を滑り止めするための滑止テープを固着したところに特徴を有する。
【０００６】
請求項２の発明は、請求項１に記載のパレットにおいて、滑止テープが固着された線状の領域に把持部を複数設けたところに特徴を有する。
【０００７】
請求項３の発明は、請求項１又は２に記載のパレットにおいて、滑止テープの幅を７〜１４［ｍｍ］にしたところに特徴を有する。
【発明の効果】
【０００８】
請求項１のパレットでは、荷物が載置されるデッキボードのうち把持部を一部に含む線状の領域に滑止テープを固着したので、滑止テープが、デッキボードに載置された荷物の滑り止めと、把持部を把持した手の滑り止めとの両方に兼用され、滑止テープの有効利用が図られる。
【０００９】
また、請求項２のパレットでは、滑止テープが固着された線状の領域に把持部を複数設けたので、任意の把持部を選んで把持することができる。
【００１０】
さらに、請求項３の構成では、滑止テープを従来より幅狭の幅７〜１４［ｍｍ］にしたので、滑止テープを熱溶着にてデッキボードに固着する際の加熱時間が短くなり、デッキボード、特に把持部の熱変形を防ぐことができる。また、滑り止め効果を高めるために滑止テープの使用長さが増加しても、従来の滑止テープに代えて本発明に係る幅狭の滑止テープを使用すれば、コスト増加を抑えることができる。ここで、滑止テープの幅を再現なく小さくすると、パレットへの固着作業が困難になるが、本発明では滑止テープの幅を７［ｍｍ］以上にしたので、固着作業を容易に行うことができる。また、従来の滑止テープの幅２０［ｍｍ］に対して、本発明では滑止テープの幅を１４［ｍｍ］以下にしたので、滑止テープの材料費を３割以上、低減させることができる。
【発明を実施するための最良の形態】
【００１１】
以下、本発明の一実施形態を図１〜図４に基づいて説明する。図１に示した本実施形態のパレット２０は、合成樹脂（例えば、ポリプロピレン、ポリエチレン等）の成形品であって、平面略正方形の１対のデッキボード２１，２１を上下に対向配置して備え、それらデッキボード２１，２１の外縁部同士の間を側壁２２で接合した偏平直方体形状をなしている。また、パレット２０の内部には、図２に示すようにデッキボード２１，２１の間で突っ張り状態になった補強壁２７や、デッキボード２１，２１の内面から突出した補強リブ２８等が備えられている。さらに、図１に示すようにデッキボード２１の平面形状の図心には、角孔２１Ｋがパレット２０の上下に貫通形成されている。また、パレット２０の側壁２２には、縦横何れかの一方向に、１対のフォーク挿入孔２３，２３が貫通形成され、ここにフォークリフトのフォークを挿入することができるようになっている。
【００１２】
各デッキボード２１には、内側にフォーク挿入孔２３を備えた部分全体に亘って複数の丸孔２９が貫通形成されている。また、各デッキボード２１の外面２１Ｇには、複数（例えば、８つ）の矩形溝２６が形成されている。これら矩形溝２６は、フォーク挿入方向と直交した方向に延びて互いに平行になっており、所定の間隔をあけてデッキボード２１の外面２１Ｇ全体に分散配置されている。
【００１３】
さて、各デッキボード２１には、四隅に１対ずつ計８つの持ち手孔２４が形成されている。各持ち手孔２４は矩形状をなし、その矩形の長辺が矩形溝２６の長手方向に向けられている。そして、対（ペア）になった両持ち手孔２４，２４は、デッキボード２１の端部寄りに配置された矩形溝２６を間に挟んで、その矩形溝２６に対して線対称に配置されている。より詳細には、４対の持ち手孔２４のうち２対の持ち手孔２４が、デッキボード２１の一の側縁寄りの共通の矩形溝２６における両端部に配置され、残りの２対の持ち手孔２４が、デッキボード２１の他の側縁寄りの共通の矩形溝２６における両端部に配置されている。そして、デッキボード２１のうち各対の持ち手孔２４，２４に挟まれた部分が、本発明に係る把持部２５になっている。
【００１４】
図３に示すように、パレット２０のうち荷物載置面になっている一方のデッキボード２１の外面２１Ｇには、上記した矩形溝２６の底面２６Ａに滑止テープ１０が溶着されている。そして、滑止テープ１０がデッキボード２１の外面２１Ｇから突出して、滑止テープ１０の上面１０Ａがデッキボード２１の外面２１Ｇより僅かに上方にオフセットしている。なお、他方のデッキボード２１には、滑止テープ１０は固着されていない。
【００１５】
滑止テープ１０は、合成樹脂の射出成形、押出成形、又は、カレンダー成形等によって成形されている。また、滑止テープ１０の幅は、７〜１４［ｍｍ］（例えば、１０［ｍｍ］）、厚さは、２〜５［ｍｍ］になっている。ここで、滑止テープ１０を構成する合成樹脂としては、弾性及び耐摩耗性に富み、かつ、比較的低温で熱接着性を有するものが好ましい。この点において滑止テープ１０を構成する好適な材料としては、エチレン系重合体が挙げられ、具体的には、例えば、エチレン−酢酸ビニル共重合体（ＥＶＡ）、エチレン・不飽和カルボン酸エステル共重合体（ＥＥＡ）、エチレン・不飽和カルボン酸共重合体、エチレン系アイオノマー、低密度ポリエチレン（ＬＤＰＥ）、線状低密度ポリエチレン（ＬＬＤＰＥ）、エチレン系共重合体系熱可塑性エラストマーなどが挙げられる。そして、これら合成樹脂を単独或いは２種類以上組み合わせ、必要に応じて熱安定剤、可塑剤、滑剤、酸化防止剤、顔料、充填剤等を添加した合成樹脂により、滑止テープ１０を成形することができる。また、特に、エチレン−酢酸ビニル共重合体（ＥＶＡ）で滑止テープ１０を成形することが好ましい。なお、溶着に関しては、滑止テープ１０及びパレット２０の各溶着面に熱風を吹き付けて表面を溶融してから、それらの溶着面同士を接合してローラーで押圧すればよい。
【００１６】
本実施形態の滑止テープ１０の構成に関する説明は以上である。次に、滑止テープ１０の作用効果について説明する。図４に示すように滑止テープ１０に荷物３０を載置すると、荷物３０の底面が滑止テープ１０に摩擦係合する。これにより、パレット２０が傾いたとき、或いは、パレット２０を輸送中の車両が、加速・減速・旋回等したときに、パレット２０上の荷物３０を滑り止めすることができる。
【００１７】
さて、空のパレット２０は、何れかの把持部２５を把持して移動することができる。詳細には、パレット２０の四隅に配置された何れかの把持部２５を選択し、図５に示すようにその把持部２５の両側にある持ち手孔２４，２４の一方に親指を差し込むと共に他方に残りの指を差し込むようにして把持部２５を把持する。そして、パレット２０を引き摺りながら、或いは、パレット２０を持ち上げて移動すればよい。このとき、把持部２５を把持した手が滑止テープ１０に押し付けられ、手が滑ることを防止することができる。
【００１８】
このように、本実施形態のパレット２０では、荷物３０が載置されるデッキボード２１のうち把持部２５を一部に含む線状の領域に滑止テープ１０を固着したので、その滑止テープ１０が、デッキボード２１に載置された荷物３０の滑り止めと、把持部２５を把持した手の滑り止めとの両方に兼用され、滑止テープ１０の有効利用が図られる。また、把持部２５を、滑止テープ１０が固着された線状の領域（矩形溝２６が形成された領域）に対をなして設けたので、それらのうち任意の把持部２５を選んで把持することができる。さらに、滑止テープ１０を従来より幅狭の幅７〜１４［ｍｍ］にしたので、滑止テープ１０を熱溶着にてデッキボード２１に固着する際の加熱時間が短くなり、デッキボード２１、特に把持部２５の熱変形を防ぐことができる。また、滑り止め効果を高めるために滑止テープ１０の使用長さが増加しても、従来の滑止テープに代えて本実施形態の幅狭の滑止テープ１０を使用すれば、コスト増加を抑えることができる。ここで、滑止テープ１０の幅を小さくし過ぎると、パレット２０への固着作業が困難になるが、本実施形態では滑止テープ１０の幅を７［ｍｍ］以上にしたので、固着作業を容易に行うことができる。また、従来の滑止テープの幅２０［ｍｍ］に対して、本実施形態では滑止テープ１０の幅を１４［ｍｍ］以下にしたので、滑止テープの材料費を３割以上、低減させることができる。
【００１９】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００２０】
（１）前記実施形態のパレット２０は、板構造のデッキボード２１を備えていたが、格子構造（メッシュ構造）のデッキボードを備えたものであってもよい。
【００２１】
（２）前記実施形態では、複数の滑止テープ１０がパレット２０に全て平行に配置されていたが、複数の滑止テープを非平行に配置してもよい。
【００２２】
（３）前記実施形態では、滑止テープ１０はパレット２０に熱溶着により固着されていたが、例えば、接着剤により固着してもよい。
【図面の簡単な説明】
【００２３】
【図１】本発明の一実施形態に係るパレットの斜視図
【図２】そのパレットの一部を破断した斜視図
【図３】そのパレットの部分側面図
【図４】荷物を載置した状態のパレットの部分側面図
【図５】把持部を把持した状態のパレットの部分側面図
【符号の説明】
【００２４】
１０    滑止テープ
２０    パレット
２１    デッキボード
２４    持ち手孔
２５    把持部
３０    荷物
【図１】
2008056303.tif 000003
【図２】
2008056303.tif 000004
【図３】
2008056303.tif 000005
【図４】
2008056303.tif 000006
【図５】
2008056303.tif 000007